(57)【要約】【課題】モニタに双眼表示された内視鏡画像を、一方の内視鏡画像のみの全画面表示に、容易かつ瞬時に切り換えることができる内視鏡装置を提供する。【解決手段】内視鏡に装着された２つの観察像を得るための観察光学系を有する双眼アダプタと、上記内視鏡に配設され、上記双眼アダプタの上記観察光学系に入光した２つの被写体像を撮像する撮像手段と、上記撮像手段により撮像された２つの被写体像を表示する表示手段と、上記表示手段の表示を２画面と１画面との一方から他方へ１回の操作で切り換える表示切り換えスイッチと、上記表示切り換えスイッチの１回の操作により、上記撮像手段により撮像された２つの被写体像を、上記表示手段に２画面に表示するか、上記２つの被写体像の内、一方の被写体像を１画面に表示するかの、いずれかの制御を行う制御手段と、を具備することを特徴とする。【選択図】図８
2006180934.tif 000002
【特許請求の範囲】
【請求項１】
内視鏡に装着された２つの観察像を得るための観察光学系を有する双眼アダプタと、
上記内視鏡に配設され、上記双眼アダプタの上記観察光学系に入光した２つの被写体像を撮像する撮像手段と、
上記撮像手段により撮像された２つの被写体像を表示する表示手段と、
上記表示手段の表示を２画面と１画面との一方から他方へ１回の操作で切り換える表示切り換えスイッチと、
上記表示切り換えスイッチの１回の操作により、上記撮像手段により撮像された２つの被写体像を、上記表示手段に２画面に表示するか、上記２つの被写体像の内、一方の被写体像を１画面に表示するかの、いずれかの制御を行う制御手段と、
を具備することを特徴とする内視鏡装置。
【請求項２】
上記表示手段に、該表示手段の表示を２画面と１画面との一方から他方へ複数回の操作で切り換えるパネルスイッチが配設されており、
上記表示切り換えスイッチによる操作は、上記パネルスイッチによる操作と連動していることを特徴とする請求項１に記載の内視鏡装置。
【請求項３】
上記表示手段において２画面に表示する上記被写体像は、等倍の像であることを特徴とする請求項１または２に記載の内視鏡装置。
【請求項４】
上記表示手段において１画面に表示する上記被写体像は、上記表示手段の表示領域における最大表示画像であることを特徴とする請求項３に記載の内視鏡装置。
【請求項５】
上記表示切り換えスイッチは、上記表示手段が配設された装置本体のリモコンに配設されていることを特徴とする請求項１〜４のいずれかに記載の内視鏡装置。  
【請求項６】
上記リモコンに、
上記表示手段に表示される上記被写体像を計測する際、ポインタを動作させるポインタスイッチと、
上記表示手段に表示される上記等倍の被写体像をズーミングした際、該被写体像をパン、チルトするパン、チルトスイッチと、
上記表示手段に、上記パネルスイッチを操作するメニューを表示した際、該メニューを選択操作するカーソルスイッチと、
が具備されており、
上記表示切り換えスイッチと、上記ポインタスイッチと、上記ズームスイッチと、上記カーソルスイッチとは、同一のスイッチであり、規定の状態において機能することを特徴とする請求項５に記載の内視鏡装置。
【請求項７】
上記規定の状態は、上記表示手段に上記メニューが表示されておらず、等倍の上記被写体像のみが表示された状態であることを特徴とする請求項６に記載の内視鏡装置。
【発明の詳細な説明】
【技術分野】
【０００１】
本発明は、内視鏡に双眼アダプタを装着することにより、２つの被写体像を表示手段において観察することができる内視鏡装置に関する。
【背景技術】
【０００２】
周知のように、内視鏡は、医療分野及び工業用分野において広く利用されている。医療分野において用いられる内視鏡は、細長い挿入部を体腔内に挿入することによって、撮像された被写体像（以下、内視鏡画像と称す）から体腔内の臓器を観察したり、必要に応じて処置具の挿通チャンネル内に挿入した処置具を用いて各種処置をしたりすることができる。
【０００３】
また、工業用分野において用いられる内視鏡は、細長い挿入部をジェットエンジン内や、発電所の配管等に挿入することによって、撮像された内視鏡画像から被検部位の傷及び腐蝕等の観察や各種処置等を行うことができる。
【０００４】
そして、特に工業用の内視鏡では、被検部位の検査箇所に応じた観察が行えるよう視野方向及び視野角等の光学特性を変換する複数種類の光学アダプタが用意されており、該光学アダプタは、必要に応じて内視鏡挿入部の先端部に着脱自在となっている。
【０００５】
光学アダプタの種類には、例えば直視観察用或いは側視観察用、太径管用或いは細径管用等に加え、２つの内視鏡画像を同時に観察するための観察光学系を有するステレオタイプのアダプタ（以下、双眼アダプタと称す）等があり、内視鏡検査を行う際、検査箇所、検査目的に応じて様々な光学アダプタが選択的に内視鏡挿入部に装着されている。
【０００６】
ここで、内視鏡挿入部の先端に双眼アダプタを装着した場合、該双眼アダプタを介して撮像された２つの内視鏡画像は、例えば内視鏡が接続された装置本体の１つのモニタにおいて２画面に表示される、即ち双眼表示される。
【０００７】
その後、モニタに双眼表示された２つの内視鏡画像の内、左側の画像または右側の画像のみをモニタにおいて全画面に最大表示する場合は、装置本体に接続されたリモコンを用いてモニタにメニューを表示し、該メニュー上に表示された、例えば左画像、双眼画像、右画像のアイコンから左画像または右画像を選択決定することにより、モニタに最大表示を行う手法が周知である。
【０００８】
また、リモコンを用いてモニタにメニューを表示し、該メニュー上から既存のデジタルズーム機能及び、パン（左右移動）、チルト（上下移動）機能を選択することにより、左側の画像または右側の画像のみをモニタに最大表示を行う手法も周知であり、これらの手法は、例えば特許文献１に開示されている。
【特許文献１】特開２００４−３３４８７号公報
【発明の開示】
【発明が解決しようとする課題】
【０００９】
しかしながら、モニタに表示された内視鏡画像を観察する際、使用者は、内視鏡操作も行っているため、内視鏡操作を行いながら、リモコンを用いてモニタにメニューを表示させ、該メニューを選択することにより、双眼画像から左画像または右画像を全画面表示する操作を行うことは、作業手順が多く大変煩雑である。
【００１０】
また、被写体像を観察している最中に、モニタにメニュー表示を行うと、表示されたメニューのアイコンにより、モニタの被写体像が隠れてしまうため、使い勝手が悪い。
【００１１】
本発明は、上記事情に鑑みてなされたものであり、モニタに双眼表示された内視鏡画像を、一方の内視鏡画像のみの全画面表示に、容易かつ瞬時に切り換えることができる内視鏡装置を提供することを目的とする。
【課題を解決するための手段】
【００１２】
上記目的を達成するために本発明による内視鏡装置は、内視鏡に装着された２つの観察像を得るための観察光学系を有する双眼アダプタと、上記内視鏡に配設され、上記双眼アダプタの上記観察光学系に入光した２つの被写体像を撮像する撮像手段と、上記撮像手段により撮像された２つの被写体像を表示する表示手段と、上記表示手段の表示を２画面と１画面との一方から他方へ１回の操作で切り換える表示切り換えスイッチと、上記表示切り換えスイッチの１回の操作により、上記撮像手段により撮像された２つの被写体像を、上記表示手段に２画面に表示するか、上記２つの被写体像の内、一方の被写体像を１画面に表示するかの、いずれかの制御を行う制御手段と、を具備することを特徴とする。
【発明の効果】
【００１３】
本発明の内視鏡装置によれば、モニタに双眼表示された内視鏡画像を、一方の内視鏡画像のみの全画面表示に、容易かつ瞬時に切り換えることができる。
【発明を実施するための最良の形態】
【００１４】
以下、図面を参照して本発明の実施の形態を説明する。尚、本実施の形態においては、内視鏡は、工業用の内視鏡を例に挙げて説明する。
【００１５】
図１は、本発明の一実施の形態を示す内視鏡装置の構成の概略を示すブロック図、図２は、図１のリモートコントローラを拡大して示した斜視図、図３は、直視型の双眼アダプタを図１の内視鏡先端部に装着した状態を示す部分拡大斜視図、図４は、図３中のＩＶ−ＩＶ線に沿う断面図、図５は、側視型の双眼アダプタを図１の内視鏡先端部に装着した状態を示す部分拡大斜視図、図６は、図５中のＶＩ−ＶＩ線に沿う断面図、図７は、メニューアイコンが表示された図１のモニタの正面図である。
【００１６】
図１に示すように、内視鏡装置１は、細長な挿入部２０を有する内視鏡２と、挿入部２０を収納する図示しない収納部を備えた装置本体３と、該装置本体３に接続されたリモートコントローラ（以下、リモコンと称す）４及び表示手段であるモニタ５とにより主要部が構成されている。
【００１７】
内視鏡２の挿入部２０は、先端側から順に硬質な先端部２１と、例えば上下左右に湾曲可能な湾曲部と、柔軟性を有する可撓管部（いずれも図示されず）とが連設されることにより構成されている。
【００１８】
先端部２１に、観察光学系を２つ有する直視型の双眼アダプタ７ａ及び側視型の双眼アダプタ７ｂ等の双眼アダプタ７が着脱自在となっている。尚、先端部２１に装着される光学アダプタは、双眼アダプタに限定されない。また、観察光学系は１つであっても良い。
【００１９】
また、先端部２１に、双眼アダプタ７の上記観察光学系に入光した２つの内視鏡画像を撮像する撮像手段である撮像素子２ａが配設されている。
【００２０】
装置本体３は、内視鏡ユニット８と、カメラコントロールユニット（以下、ＣＣＵと称す）９と、制御ユニット１０とにより主要部が構成されている。内視鏡ユニット８に、内視鏡２の挿入部２０の基端部と、ＣＣＵ９と、制御ユニット１０とが接続されており、また、該制御ユニット１０に、ＣＣＵ９が接続されている。
【００２１】
内視鏡ユニット８は、被写体を観察するに際し必要な照明光を供給する光源装置と、内視鏡２の上記湾曲部を湾曲させる図示しない湾曲装置と（いずれも図示されず）を備えて主要部が構成されている。
【００２２】
ＣＣＵ９は、内視鏡２の先端部２１の撮像素子２ａから入力された被写体の撮像信号を、例えばＮＴＳＣ信号等の映像信号に変換し、該映像信号を制御ユニット１０に出力する。
【００２３】
制御ユニット１０は、音声信号処理回路１１と、ＣＣＵ９から出力された映像信号が入力される映像信号処理回路１２と、ＲＯＭ１３と、ＲＡＭ１４と、ＰＣカードインターフェイス（以下、ＰＣカードＩ／Ｆと記載）１５と、ＵＳＢインターフェイス（以下、ＵＳＢＩ／Ｆと記載）１６と、ＲＳ−２３２Ｃインターフェイス（以下、ＲＳ−２３２ＣＩ／Ｆと記載）１７と、制御手段であるＣＰＵ１８とを有して主要部が構成されている。
【００２４】
ＣＰＵ１８は、音声信号処理回路１１、映像信号処理回路１２、ＲＯＭ１３、ＲＡＭ１４、ＰＣカードＩ／Ｆ１５、ＵＳＢＩ／Ｆ１６、ＲＳ−２３２ＣＩ／Ｆ１７の各種機能に対し、ＲＯＭ１３に格納されているプログラムを実行することにより、目的に応じた動作処理を行うよう制御して、システム全体の動作制御を行う。
【００２５】
ＲＳ−２３２ＣＩ／Ｆ１７に、ＣＣＵ９と、内視鏡ユニット８と、ＣＣＵ９及び内視鏡ユニット８等の動作制御及び動作指示を行うリモコン４とがそれぞれ接続されている。該リモコン４と、ＲＳ−２３２ＣＩ／Ｆ１７との間において、ＣＣＵ９、内視鏡ユニット８を動作制御する際に必要な通信が行われる。
【００２６】
また、ＲＳ−２３２ＣＩ／Ｆ１７に、データバスを介して、音声信号処理回路１１と、ＲＯＭ１３と、ＲＡＭ１４と、ＰＣカードＩ／Ｆ１５と、ＵＳＢＩ／Ｆ１６と、ＣＰＵ１８とが接続されている。
【００２７】
ＵＳＢＩ／Ｆ１６は、装置本体３とパーソナルコンピュータ（以下、ＰＣと称す）３１とを電気的に接続するためのインターフェイスである。このＵＳＢＩ／Ｆ１６を介して装置本体３とＰＣ３１とを接続することにより、撮像素子２ａにおいて撮像された内視鏡画像のモニタ５への表示指示や計測時における画像処理などの各種の指示制御をＰＣ３１側で行うことができる。また、装置本体３とＰＣ３１との間における各種処理に必要な情報やデータ等の入出力を行うことができる。
【００２８】
また、ＰＣカードＩ／Ｆ１５に、ＰＣＭＣＩＡメモリカード３２、コンパクトフラッシュ（登録商標）メモリカード３３等が自由に着脱されるようになっている。ＰＣカードＩ／Ｆ１５に、メモリカード３２またはメモリカード３３が装着されることにより、ＣＰＵ１８の動作制御によって、装置本体３へメモリカード３２，３３に記憶されている制御処理情報や画像情報等のデータの取り込みを行うことができる。または、制御処理情報や画像情報等のデータをメモリカード３２，３３に記録することができる。
【００２９】
映像信号処理回路１２は、ＣＣＵ９から出力された内視鏡画像とグラフィックによる操作メニューとを合成した合成画像をモニタ５に表示する処理をＣＰＵ１８の動作制御により行う。具体的には、映像信号処理回路１２は、上記内視鏡画像と上記操作メニューとの合成処理、及び上記合成画像にモニタ５に表示するのに必要な処理等を施して、上記合成画像をモニタ５に出力する処理を行う。
【００３０】
尚、映像信号処理回路１２は、内視鏡画像、あるいは操作メニュー等の画像を単独で表示するための処理を行うことも可能である。したがって、モニタ５には、内視鏡画像、操作メニュー、または内視鏡画像と操作メニューとの合成画像等が表示される。
【００３１】
音声信号処理回路１１に、マイク３４によって集音されて生成されたメモリカード３２，３３に記録する音声信号、メモリカード３２，３３の再生によって得られた音声信号、あるいはＣＰＵ１８によって生成された音声信号が入力される。
【００３２】
音声信号処理回路１１は、入力された音声信号に、該音声信号を再生するのに必要な増幅処理等を施してスピーカ３５に出力する。このことによって、スピーカ３５から音声が出力される。
【００３３】
図２に示すように、リモコン４に、ジョイスティック４１、後述する表示切り換えスイッチであるＭＥＡＳ／ＥＮＴスイッチ４２、メニュースイッチ４３、フリーズスイッチ４４、録画スイッチ４５、計測実行スイッチ４６、パワースイッチ４７等が配設されている。
【００３４】
ジョイスティック４１は、内視鏡２の湾曲部の湾曲動作を指示するスイッチであり、ジョイスティック４１が傾倒操作されることにより、上記湾曲部は、その傾倒方向に対応する方向に傾倒角度分だけ湾曲される。
【００３５】
メニュースイッチ４３は、図７に示すように、モニタ５に、上記操作メニューのアイコン８０の表示の指示を行うスイッチである。また、フリーズスイッチ４４は、撮像素子２ａによって撮像された内視鏡画像をモニタ５において静止させる指示を行うスイッチである。
【００３６】
録画スイッチ４５は、内視鏡画像をメモリカード３２，３３に記録録画する、またはフリーズスイッチ４４のオンによって静止された内視鏡画像（以下、静止画像と称す）をメモリカード３２，３３に記録録画する指示を行うスイッチである。
【００３７】
計測実行スイッチ４６は、内視鏡画像において各種計測を行うに際し、計測ソフトを実行する指示を行うスイッチである。パワースイッチ４７は、内視鏡装置１の電源オンを行うスイッチである。
【００３８】
尚、メニュースイッチ４３、フリーズスイッチ４４、録画スイッチ４５、計測実行スイッチ４６、パワースイッチ４７は、オン／オフの指示を押下操作によって行う、例えばプッシュ式のスイッチである。
【００３９】
ＭＥＡＳ／ＥＮＴスイッチ４２は、ジョイスティック４１と略同様に傾倒自在に構成されており、モニタ５に表示される内視鏡画像が等倍の像から、デジタルズーミングされた際、該ズーミングされた内視鏡画像のパン、チルトを行うパン、チルトスイッチの機能が付与されている。
【００４０】
また、ＭＥＡＳ／ＥＮＴスイッチ４２は、フリーズスイッチ４４の押下によりモニタ５に静止画像が表示され、次いで計測実行スイッチ４６が押下され計測ソフトが実行された後、該計測を行う際に用いられるポインタの移動操作を行うポインタスイッチの機能も付与されている。
【００４１】
さらに、ＭＥＡＳ／ＥＮＴスイッチ４２は、メニュースイッチ４３が押下されることにより、モニタ５に、上記操作メニューのアイコン８０またはオプションアイコン８１（いずれも図７参照）が表示された後、該アイコン８０，８１を決定するカーソルであるハイライト表示８４を移動させるためのカーソルスイッチの機能も付与されている。
【００４２】
また、ＭＥＡＳ／ＥＮＴスイッチ４２は、モニタ５に、上記メニューが表示されておらず、また計測ソフトが起動していない状態で、等倍の内視鏡画像が２画面に双眼表示され際、２画面の内視鏡画像１５１，１５２（図１０参照）の内、一方の内視鏡画像（以下、片眼画像と称す）１５１または１５２が、１回の操作で１画面に全画面表示されるよう即座に切り換える、表示切り換えスイッチの機能も付与されている。
【００４３】
即ち、上記パン、チルトスイッチと、上記ポインタスイッチと、上記カーソルスイッチと、上記表示切り換えスイッチとは、同一のスイッチにより構成されている。尚、上記パン、チルトスイッチと、上記ポインタスイッチと、上記カーソルスイッチと、上記表示切り換えスイッチとは、別個のスイッチにより構成してもよい。
【００４４】
モニタ５は、例えば液晶を用いたＬＣＤモニタから構成されている。よって、メニュースイッチ４３が押下され、モニタ５に上記操作メニューのアイコンが表示された際、ＭＥＡＳ／ＥＮＴスイッチ４２により、上記操作メニューのアイコンが選択できるようになっている。
【００４５】
また、内視鏡２の先端部２１に双眼アダプタ７が装着されている際、メニュースイッチ４３が押下され、図７に示すように、モニタ５に上記操作メニューのアイコン８０が表示された後、アイコン８０から、双眼ＡＤアイコンが選択され、該双眼ＡＤアイコン中のオプションアイコン８１から双眼アイコン８１ａが選択決定されると、ＣＰＵ１８の動作制御によって、モニタ５に、２つの内視鏡画像が２画面に双眼表示されるようになっている（図１０参照）。
【００４６】
さらに、２つの内視鏡画像が２画面に双眼表示されていて、かつフリーズスイッチ４４が押下されてなく、２つの内視鏡画像がズーミングされていない場合、ＭＥＡＳ／ＥＮＴスイッチ４２が傾倒操作されることにより、ＣＰＵ１８の動作制御によって、モニタ５に、２つの内視鏡画像の内、片眼画像が１画面に全画面表示されるようになっている（図１１、図１２参照）。
【００４７】
または、メニュースイッチ４３が押下され、図７に示すように、モニタ５に上記操作メニューのアイコン８０が表示された後、アイコン８０から、双眼ＡＤアイコンが選択され、該双眼ＡＤアイコン中のオプションアイコン８１から左アイコン８１ｂまたは右アイコン８１ｃが選択されると、ＣＰＵ１８の動作制御によって、モニタ５中に双眼表示された２つの内視鏡画像の内、片眼画像である左画像１５１または右画像１５２が、１画面に全画面表示されるようになっている。
【００４８】
尚、モニタ５にメニューアイコン８０が表示された際、各アイコン８０は、上述したように、ＭＥＡＳ／ＥＮＴスイッチ４２が上下操作されることにより選択決定される。また、モニタ５にオプションアイコン８１が表示された際、各アイコン８１は、上述したように、ＭＥＡＳ／ＥＮＴスイッチ４２が左右操作されることにより選択決定される。また、この際、選択したアイコン８０，８１には、ハイライト表示８４がなされるようになっている。
【００４９】
さらに、左アイコン８１ｂが選択決定されると、モニタ５に、インジケータ“ＬＥＦＴ”８６が表示され、右アイコン８１ｃが選択決定されると、モニタ５に、インジケータ“ＲＩＧＨＴ”８６が表示される。
【００５０】
双眼アダプタ７には、例えば、図３、図４において示す直視型の双眼アダプタ７ａと、図５、図６において示す側視型の双眼アダプタ７ｂとがあり、内視鏡２の先端部２１に着脱自在となっている。
【００５１】
図３、図４に示すように、直視型の双眼アダプタ７ａの先端面に、一対の照明レンズ５１、５２と観察光学系である対物レンズ系５３，５４とが設けられていることから、先端部２１の撮像素子２ａの撮像面上に２つの被写体の光学像が結像する。
【００５２】
直視型の双眼アダプタ７ａと、先端部２１とは、固定リング５０の雌ねじ５０ａを先端部２１に形成されている雄ねじ２１ａに螺合することによって一体的となるよう固定されている。
【００５３】
撮像素子２ａに結像された被写体の光学像は、撮像素子２ａにおいて光電変換され、該光電変換された後の撮像信号は、撮像素子２ａに電気的に接続された信号線２ｂ及び内視鏡ユニット８（図１参照）を介してＣＣＵ９に出力される。
【００５４】
その後、ＣＣＵ９において、映像信号に変換された後、映像信号処理回路１２に出力され、最後にＣＰＵ１８の動作制御によって、内視鏡画像としてモニタ５に出力される。このことにより、図１０に示すように、モニタ５に、２つの内視鏡画像１５１，１５２が２画面に双眼表示される。
【００５５】
図５、図６に示すように、側視型の双眼アダプタ７ｂの先端面に、例えば一対の照明レンズ５６、５７と、観察光学系である対物レンズ系５８，５９とが設けられている。また、２つの対物レンズ系５８，５９の直下に、光軸を９０度折り曲げるプリズム４９ａと、光学レンズ４９ｂとが設けられていることから、先端部２１の撮像素子２ａの撮像面上に９０°折り曲げられた２つの被写体の光学像が結像する。
【００５６】
側視型の双眼アダプタ７ｂと、先端部２１とは、固定リング５０の雌ねじ５０ａを先端部２１に形成されている雄ねじ２１ａに螺合することによって一体的となるよう固定されている。
【００５７】
撮像素子２ａに結像された９０°折り曲げられた被写体の光学像は、撮像素子２ａにおいて光電変換され、該光電変換された後の撮像信号は、撮像素子２ａに電気的に接続された信号線２ｂ及び内視鏡ユニット８（図１参照）を介してＣＣＵ９に出力される。
【００５８】
その後、ＣＣＵ９において、映像信号に変換された後、映像信号処理回路１２に出力され、最後にＣＰＵ１８の動作制御によって、内視鏡画像としてモニタ５に出力される。このことにより、図１０に示すように、モニタ５に、２つの内視鏡画像１５１，１５２が２画面に双眼表示される。
【００５９】
次に、このように構成された内視鏡装置１の作用、詳しくはＭＥＡＳ／ＥＮＴスイッチ４２が傾倒操作された際のＣＰＵ１８の動作制御によるモニタ５の表示動作について上述した図１、図２、図７及び図８〜図１２を用いて説明する。
【００６０】
図８は、ＣＰＵ１８による図２のＭＥＡＳ／ＥＮＴスイッチの操作に応じたモニタ５の内視鏡画像の表示切り替え制御を示したフローチャート、図９は、ＣＰＵ１８による図２のＭＥＡＳ／ＥＮＴスイッチの操作に応じたモニタ５の片眼画像の最大表示制御を示したフローチャートである。
【００６１】
また、図１０は、内視鏡画像が２画面に双眼表示された図１のモニタ５の正面図、図１１は、２画面に双眼表示された内視鏡画像の内、左側の画像が１画面に最大表示された図１のモニタ５の正面図、図１２は、２画面に双眼表示された内視鏡画像の内、右側の画像が１画面に最大表示された図１のモニタ５の正面図である。
【００６２】
図８に示すように、ＭＥＡＳ／ＥＮＴスイッチ４２が傾倒操作されると、先ずステップＳ１では、モニタ５に、ズーミングされた内視鏡画像（以下、ズーム画像と称す）が表示中か否かがＣＰＵ１８により判定される。
【００６３】
ＣＰＵ１８により、モニタ５にズーム画像が表示中でないと判定されれば、ステップＳ２に移行し、ズーム画像が表示中であると判定されれば、ステップＳ５に分岐する。
【００６４】
ステップＳ５では、ＭＥＡＳ／ＥＮＴスイッチ４２の傾倒操作に対応して、ズーム画像をパン、チルトする処理が行われ、モニタ５に表示される。よって、ＭＥＡＳ／ＥＮＴスイッチ４２は、パン、チルトスイッチとして機能するようになる。パン、チルト処理後、本処理は終了される。
【００６５】
ステップＳ２では、メニュースイッチ４３が押下されて、モニタ５にメニューアイコン８０が表示中であるか否かがＣＰＵ１８により判定される。ＣＰＵ１８により、モニタ５にメニューアイコン８０が表示中でないと判定されれば、ステップＳ３に移行し、モニタ５にメニューアイコン８０が表示中であると判定されれば、ステップＳ６に分岐する。
【００６６】
ステップＳ６では、ＭＥＡＳ／ＥＮＴスイッチ４２の傾倒操作に対応してハイライト表示８４を移動させ、メニューアイコン８０またはオプションアイコン８１（いずれも図７参照）を選択するメニュー操作処理が行われる。よって、ＭＥＡＳ／ＥＮＴスイッチ４２は、アイコン８０，８１を決定するハイライト表示８４を移動させるためのカーソルスイッチとして機能するようになる。メニュー操作処理後、本処理は終了される。
【００６７】
ステップＳ３では、計測実行スイッチ４６が押下され、計測ソフトが実行された後、モニタ５に、該計測を行う際に用いられるポインタが表示されているか否かがＣＰＵ１８により判定される。ＣＰＵ１８により、モニタ５にメニューアイコン８０が表示中でないと判定されれば、ステップＳ４に移行し、モニタ５にポインタが表示中であると判定されれば、ステップＳ７に分岐する。
【００６８】
ステップＳ７では、ＭＥＡＳ／ＥＮＴスイッチ４２の傾倒操作に対応して、計測画面においてカーソルを移動させる計測操作処理が行われる。よって、ＭＥＡＳ／ＥＮＴスイッチ４２は、カーソルの移動操作を行うポインタスイッチとして機能する。計測操作処理後、本処理は終了される。
【００６９】
ステップＳ４では、傾倒操作されたＭＥＡＳ／ＥＮＴスイッチ４２が左または右に傾倒されたか否かがＣＰＵ１８により判定される。ＣＰＵ１８により、ＭＥＡＳ／ＥＮＴスイッチ４２が左または右に傾倒されていないと判定されれば、本処理を終了し、ＭＥＡＳ／ＥＮＴスイッチ４２が左または右に傾倒されたと判定されれば、ステップＳ８に分岐する。
【００７０】
ステップＳ８では、図１０に示すように、モニタ５に２画面に双眼表示された等倍の内視鏡画像１５１，１５２から、該２画面の内視鏡画像１５１，１５２の内、片眼画像である１５１または１５２へと、図１１または図１２に示すように、１画面に１回の操作で全画面表示（最大表示）されるよう即座に切り換える最大表示処理が行われる。
【００７１】
尚、図１１、図１２は、図１０の内視鏡画像１５１，１５２の縦横比を変えて最大表示処理を行ったものを示したが、これに限らず、図１５に示すように、縦横比を保持したまま、最大表示処理を行うようにしてもよい。
【００７２】
以上から、ＭＥＡＳ／ＥＮＴスイッチ４２は、２画面を１画面に切り換える表示切り換えスイッチとして機能する。最大表示処理後、本処理は終了される。
【００７３】
次に、上述した図８のステップＳ８の片眼画像の最大表示処理について図９を用いて詳細に説明する。 
同図に示すように、先ず、ステップＳ２１では、ＭＥＡＳ／ＥＮＴスイッチ４２が左に傾倒されたか否かがＣＰＵ１８により判定される。ＣＰＵ１８により、ＭＥＡＳ／ＥＮＴスイッチ４２が左に傾倒されていないと判定されれば、ステップＳ２２に移行し、ＭＥＡＳ／ＥＮＴスイッチ４２が左に傾倒されていると判定されれば、ステップＳ２３に分岐する。
【００７４】
ステップＳ２３では、モニタ５に、図１１に示すように、片眼画像の内、左画像１５１が最大表示中であるか否かがＣＰＵ１８により判定される。左画像１５１が最大表示中であれば、ステップＳ２２にジャンプし、左画像１５１が最大表示中でなければ、ステップＳ２４に移行する。
【００７５】
ステップＳ２４では、モニタ５に、図１２に示すように、片眼画像の内、右画像１５２が最大表示中であるか否かがＣＰＵ１８により判定される。右画像１５２が最大表示中であれば、ステップＳ２６に分岐する。
【００７６】
ステップＳ２６では、ＭＥＡＳ／ＥＮＴスイッチ４２が左に傾倒されたことにより、モニタ５の表示が、最大表示された右画像１５２から、図１０に示すように、２画面に双眼表示された等倍の内視鏡画像１５１，１５２へとＣＰＵ１８の制御により切り換えられ、その後ステップＳ２２に移行する。
【００７７】
ステップＳ２４に戻って、右画像１５２が最大表示中でなければ、ステップＳ２５に移行する。ステップＳ２５では、モニタ５に、図１０に示すように、等倍の内視鏡画像１５１，１５２が２画面に双眼表示中であるか否かがＣＰＵ１８により判定される。双眼表示中であれば、ステップＳ２７に分岐し、双眼表示中でなければ、ステップＳ２２に移行する。
【００７８】
ステップＳ２７では、ＭＥＡＳ／ＥＮＴスイッチ４２が左に傾倒されたことにより、モニタ５の表示が、２画面に双眼表示された等倍の内視鏡画像１５１，１５２から、図１１に示すように、最大表示された左画像１５１へとＣＰＵ１８の制御により切り換えられ、その後ステップＳ２２に移行する。
【００７９】
ステップＳ２２では、ＭＥＡＳ／ＥＮＴスイッチ４２が右に傾倒されたか否かがＣＰＵ１８により判定される。ＣＰＵ１８により、ＭＥＡＳ／ＥＮＴスイッチ４２が右に傾倒されていないと判定されれば、本処理は終了され、ＭＥＡＳ／ＥＮＴスイッチ４２が右に傾倒されていると判定されれば、ステップＳ２８に分岐する。
【００８０】
ステップＳ２８では、モニタ５に、図１１に示すように、片眼画像の内、左画像１５１が最大表示中であるか否かがＣＰＵ１８により判定される。左画像１５１が最大表示中であれば、ステップＳ３０に分岐し、左画像１５１が最大表示中でなければ、ステップＳ２９に移行する。
【００８１】
ステップＳ３０では、ＭＥＡＳ／ＥＮＴスイッチ４２が右に傾倒されたことにより、モニタ５の表示が、最大表示された左画像１５１から、図１０に示すように、２画面に双眼表示された等倍の内視鏡画像１５１，１５２へとＣＰＵ１８の制御により切り換えられ、その後本処理は終了される。
【００８２】
ステップＳ２９では、モニタ５に、図１２に示すように、片眼画像の内、右画像１５２が最大表示中であるか否かがＣＰＵ１８により判定される。右画像１５２が最大表示中であれば、本処理は終了され、右画像１５２が最大表示中でなければ、ステップＳ３１に移行する。
【００８３】
ステップＳ３１では、モニタ５に、図１０に示すように、等倍の内視鏡画像１５１，１５２が２画面に双眼表示中であるか否かがＣＰＵ１８により判定される。双眼表示中であれば、ステップＳ３２に分岐し、双眼表示中でなければ、本処理は終了される。
【００８４】
ステップＳ３２では、ＭＥＡＳ／ＥＮＴスイッチ４２が右に傾倒されたことにより、モニタ５の表示が、２画面に双眼表示された等倍の内視鏡画像１５１，１５２から、図１２に示すように、最大表示された右画像１５２へとＣＰＵ１８の制御により切り換えられ、その後本処理は終了される。
【００８５】
尚、以上のＭＥＡＳ／ＥＮＴスイッチ４２を用いた、モニタ５に表示される内視鏡画像の切り換え操作は、上述したモニタ５のパネルスイッチを用いた操作、即ち図７に示すように、メニューアイコン８０，オプションアイコン８１を表示させた後、ＭＥＡＳ／ＥＮＴスイッチ４２を用いて選択決定することにより行う切り換え操作と、状態の不一致が生じないよう、連動している。
【００８６】
このように、本実施の形態を示す内視鏡装置１においては、リモコン４に配設されたＭＥＡＳ／ＥＮＴスイッチ４２に、パン、チルトスイッチ、ポインタスイッチ、カーソルスイッチ、表示切り換えスイッチ機能を付与した。
【００８７】
また、モニタ５に、メニューアイコン８０，８１が表示されておらず、また計測ソフトが起動していない状態で、等倍の内視鏡画像が２画面に双眼表示された際は、ＭＥＡＳ／ＥＮＴスイッチ４２が、左または右に傾倒操作されることにより、双眼表示された２画面の内視鏡画像１５１，１５２から、１画面の最大表示画像１５１または１５２へと、１回の操作で即座に切り換える、表示切り換えスイッチとして用いると示した。
【００８８】
さらに、ＭＥＡＳ／ＥＮＴスイッチ４２を左または右に１回のみ傾倒操作するのみにより、２画面に双眼表示された内視鏡画像１５１，１５２から、片眼画像１５１または１５２の最大表示画像に切り換えることができると示した。
【００８９】
このことにより、２画面に双眼表示された内視鏡画像を、片眼画像１５１または１５２の最大表示画像に切り換えるに際し、図７に示すように、モニタ５のパネルスイッチを用いて、メニューアイコン８０及びオプションアイコン８１をメニュースイッチ４２を押下することにより表示させて、ＭＥＡＳ／ＥＮＴスイッチ４２を操作することにより、カーソルを移動させて、選択することにより行う必要がなくなる。
【００９０】
よって、２画面に双眼表示された等倍の内視鏡画像１５１，１５２から、片眼画像１５１または１５２の最大表示画像に容易かつ瞬時に切り換えることができる内視鏡装置１を提供することができる。
【００９１】
尚、以下、変形例を示す。 
本実施の形態においては、上記パン、チルトスイッチと、上記ポインタスイッチと、上記カーソルスイッチと、上記表示切り換えスイッチとは、同一のスイッチ、ＭＥＡＳ／ＥＮＴスイッチ４２により構成されていると示した。
【００９２】
これに限らず、上記表示切り換えスイッチは、リモコン４において、ＭＥＡＳ／ＥＮＴスイッチ４２と別個に設けても良い。具体的には、図１３に、図２のリモコン４の変形例を示す正面図、図１４に、ＣＰＵ１８による図１３の左スイッチ及び右スイッチの操作に応じたモニタ５の片眼画像の最大表示制御を示したフローチャートを示すが、図１３に示すように、リモコン４に、上述したジョイスティック４１、メニュースイッチ４３、フリーズスイッチ４４、録画スイッチ４５、計測実行スイッチ４６、パワースイッチ４７の他、左スイッチ１４１及び右スイッチ１４２が配設されている。
【００９３】
次に、左スイッチ１４１及び右スイッチ１４２を用いた片眼画像の最大表示処理について図１４を用いて説明する。 
同図に示すように、先ず、ステップＳ４１では、ＣＰＵ１８により、左スイッチ１４１が押下されたか否かが判定される。左スイッチ１４１が押下されていないと判定されれば、ステップＳ４２に移行し、左スイッチ１４１が押下されていると判定されれば、ステップＳ２３に分岐する。
【００９４】
尚、以下、ステップＳ２３〜ステップＳ２７おいては、上述した実施の形態におけるＭＥＡＳ／ＥＮＴスイッチ４２の左傾倒が、左スイッチ１４１の押下に変わった他は、図９において上述した説明と同一であるので、その説明を省略する。ステップＳ２３〜ステップＳ２７で各処理が行われた後、ステップＳ４２に移行する。
【００９５】
ステップＳ４２では、ＣＰＵ１８により、右スイッチ１４２が押下されたか否かが判定される。ＣＰＵ１８により、右スイッチ１４２が押下されていないと判定されれば、本処理は終了され、右スイッチ１４２が押下されていると判定されれば、ステップＳ２８に分岐する。
【００９６】
尚、以下、ステップＳ２８〜ステップＳ３２おいても、上述した実施の形態におけるＭＥＡＳ／ＥＮＴスイッチ４２の右傾倒が、右スイッチ１４２の押下に変わった他は、図９において上述した説明と同一であるので、その説明を省略する。ステップＳ２８〜ステップＳ３２で各処理が行われた後、本処理は終了される。
【００９７】
尚、以上の左スイッチ１４１及び右スイッチ１４２を用いた、モニタ５に表示される内視鏡画像の切り換え操作も、上述したモニタ５のパネルスイッチを用いた操作、即ち図７に示すように、メニューアイコン８０，オプションアイコン８１を表示させた後、ＭＥＡＳ／ＥＮＴスイッチ４２を用いて選択決定することにより行う切り換え操作と、状態の不一致が生じないよう、連動している。
【００９８】
このように、左スイッチ１４１及び右スイッチ１４２を用いれば、左スイッチ１４１が押下されると、左画像１５１が最大表示され、右スイッチ１４２が押下されると、右画像１５２が最大表示されることから、上述した効果の他、操作者にとって直感的に、片眼画像の最大表示操作を行うことができるという効果を有する。
【００９９】
また、本実施の形態においては、内視鏡は、工業用の内視鏡を例に挙げて示したが、これに限らず、医療用の内視鏡に本発明を適用しても良い。
【図面の簡単な説明】
【０１００】
【図１】本発明の一実施の形態を示す内視鏡装置の構成の概略を示すブロック図。
【図２】図１のリモートコントローラを拡大して示した斜視図。
【図３】直視型の双眼アダプタを図１の内視鏡先端部に装着した状態を示す部分拡大斜視図。
【図４】図３中のＩＶ−ＩＶ線に沿う断面図。
【図５】側視型の双眼アダプタを図１の内視鏡先端部に装着した状態を示す部分拡大斜視図。
【図６】図５中のＶＩ−ＶＩ線に沿う断面図。
【図７】メニューアイコンが表示された図１のモニタの正面図。
【図８】ＣＰＵによる図２のＭＥＡＳ／ＥＮＴスイッチの操作に応じたモニタの内視鏡画像の表示切り替え制御を示したフローチャート。
【図９】ＣＰＵによる図２のＭＥＡＳ／ＥＮＴスイッチの操作に応じたモニタの片眼画像の最大表示制御を示したフローチャート。
【図１０】内視鏡画像が２画面に双眼表示された図１のモニタの正面図。
【図１１】２画面に双眼表示された内視鏡画像の内、左側の画像が１画面に最大表示された図１のモニタの正面図。
【図１２】２画面に双眼表示された内視鏡画像の内、右側の画像が１画面に最大表示された図１のモニタの正面図。
【図１３】図２のリモコンの変形例を示す正面図。
【図１４】ＣＰＵによる図１３の左スイッチ及び右スイッチの操作に応じたモニタの片眼画像の最大表示制御を示したフローチャート。
【図１５】２画面に双眼表示された内視鏡画像の内、左側の画像を、縦横比を保持したまま、１画面に最大表示した場合の図１のモニタの正面図。
【符号の説明】
【０１０１】
１…内視鏡装置
２…内視鏡
２ａ…撮像素子
３…装置本体
４…リモコン
５…モニタ
７…双眼アダプタ
７ａ…直視型双眼アダプタ
７ｂ…側視型双眼アダプタ
１８…ＣＰＵ
４２…ＭＥＡＳ／ＥＮＴスイッチ
５３…対物レンズ系
５４…対物レンズ系
５８…対物レンズ系
５９…対物レンズ系
代理人    弁理士    伊藤  進
【図１】
2006180934.tif 000003
【図２】
2006180934.tif 000004
【図３】
2006180934.tif 000005
【図４】
2006180934.tif 000006
【図５】
2006180934.tif 000007
【図６】
2006180934.tif 000008
【図７】
2006180934.tif 000009
【図８】
2006180934.tif 000010
【図９】
2006180934.tif 000011
【図１０】
2006180934.tif 000012
【図１１】
2006180934.tif 000013
【図１２】
2006180934.tif 000014
【図１３】
2006180934.tif 000015
【図１４】
2006180934.tif 000016
【図１５】
2006180934.tif 000017